(57)【要約】【課題】外フィルムと内フィルムとの間の収容部の略中央部にカバー材を位置決めするのが容易であり、出荷時に搬送したり梱包したりするときに、カバー材が上下方向や左右方向に偏ってしまうことのないおにぎり用包装材を提供する。【解決手段】外フィルム１と内フィルム２との間の収容部に、シート状食品４を収容し、この収容部３においてシート状食品４と外フィルム１との間に、カバー材５を配置し、カバー材５は、おにぎりＲの覆部５ａの上下に上下分断可能線１０、１１を介して上分断部５ｂおよび下分断部５ｃを連設し、外フィルム１の左右端部１ａ、１ｂと内フィルム２の左右端部２ａ、２ｂとが互いに接合されたものとし、カバー材５の上端部５ｔと、外フィルム１の上端部１ｃと、内フィルム２の上端部２ｃとがそれぞれ接合され、カバー材５の下端部５ｄと、外フィルム１の下端部１ｄと、内フィルム２の下端部２ｄとがそれぞれ接合されている。【選択図】図３
2020121724.tif 000002
【特許請求の範囲】
【請求項１】
外フィルム（１）と内フィルム（２）との間の収容部（３）に、シート状食品（４）を収容すると共に、この収容部（３）においてシート状食品（４）と前記外フィルム（１）との間に、カバー材（５）を配置したものとしており、
前記カバー材（５）は、おにぎり（Ｒ）の覆部（５ａ）の上下に上下分断可能線（１０、１１）を介して上分断部（５ｂ）および下分断部（５ｃ）を連設したものとし、
前記外フィルム（１）の左右端部（１ａ、１ｂ）と内フィルム（２）の左右端部（２ａ、２ｂ）とが互いに接合されたものとし、
前記カバー材（５）の上端部（５ｔ）と、外フィルム（１）の上端部（１ｃ）と、内フィルム（２）の上端部（２ｃ）とがそれぞれ接合されると共に、前記カバー材（５）の下端部（５ｄ）と、外フィルム（１）の下端部（１ｄ）と、内フィルム（２）の下端部（２ｄ）とがそれぞれ接合されたものとしていることを特徴とするおにぎり用包装材。
【請求項２】
前記カバー材（５）の覆部（５ａ）は、おにぎり（Ｒ）の底面（Ｒａ）全体と、正面（Ｒｂ）と背面のそれぞれの下側を覆うものとしていることを特徴とする請求項１記載のおにぎり用包装材。
【請求項３】
前記カバー材（５）の上分断可能線（１０）は、カバー材（５）を横断する第一上分断可能線（１０ａ）とカバー材（５）を縦断する第二上分断可能線（１０ｂ）とからなり、前記カバー材（５）の下分断可能線（１１）は、カバー材（５）を横断する第一下分断可能線（１１ａ）とカバー材（５）を縦断する第二下分断可能線（１１ｂ）とからなるものとしていることを特徴とする請求項１記載のおにぎり用包装材。
【請求項４】
前記上分断可能線（１０）の第一上分断可能線（１０ａ）は、カバー材（５）の左右両端縁に行き渡ったものとし、前記上分断可能線（１０）の第二上分断可能線（１０ｂ）は、前記第一上分断可能線（１０ａ）の中央からカバー材（５）の上端縁に向かって、これらの中間部まで行き渡ったものとし、前記下分断可能線（１１）の第一下分断可能線（１１ａ）は、カバー材（５）の左右両端縁に行き渡ったものとし、前記下分断可能線（１１）の第二下分断可能線（１１ｂ）は、前記第一下分断可能線（１１ａ）の中央からカバー材（５）の下端縁に向かって、これらの中間部まで行き渡ったものとしていることを特徴とする請求項３記載のおにぎり用包装材。
【請求項５】
前記上分断可能線（１０）の第一上分断可能線（１０ａ）は、カバー材（５）の上端縁に向かって屈曲または湾曲させたものとし、前記下分断可能線（１１）の第一下分断可能線（１１ａ）は、カバー材（５）の下端縁に向かって屈曲または湾曲させたものとしていることを特徴とする請求項３または４記載のおにぎり用包装材。
【発明の詳細な説明】
【技術分野】
【０００１】
この発明は、おにぎりと、おにぎりに被せるシ−ト状食品を互いに隔離した状態で包装するおにぎり用包装材に関するものである。
【背景技術】
【０００２】
従来、スーパーマーケットやコンビニエンスストア等で販売されているこの種のおにぎり用包装材としては、外フィルムと内フィルムとの間の収容部に、シート状食品を収容すると共に、この収容部においてシート状食品と前記外フィルムとの間に、開封時におにぎりを覆うカバー材を配置したものが存在する（特許文献１）。
【０００３】
さらに、この種のおにぎり用包装材としては、前記カバー材が、外フィルムに積層された開封用テープに点状の熱融着部によって剥離可能に貼着されたものが存在する（特許文献２）。
【０００４】
これらのおにぎり用包装材を開封するには、外フィルムを引き裂いてその左右各部分が分離するように引っ張ると、内フィルムが左右各片に分離して、おにぎりにシート状食品が付着した状態となり、さらにこのおにぎりがカバー材で覆われた状態となる。
【０００５】
したがって、前記おにぎりを食するには、カバー材で覆われた部分を手で持てば、汚れて不衛生になったり、おにぎりの水分や調味料で手がべたついたりすることがないものとなる。
【先行技術文献】
【特許文献】
【０００６】
【特許文献１】特開２０１２−１２５８号公報
【特許文献２】実用新案登録第３０６７９１９号公報
【発明の概要】
【発明が解決しようとする課題】
【０００７】
従来の特許文献１および特許文献２に記載されたおにぎり用包装材は、おにぎりの全体または大半がシート状食品で覆われ、おにぎりの底部がカバー材で覆われた状態となるようにしている。そのため、前記カバー材の縦横の寸法は、シート状食品よりかなり小さくしており、このカバー材は、前記収容部の略中央部に配置するようにしている。
【０００８】
しかしながら、前記特許文献１および特許文献２に記載されたおにぎり用包装材では、外フィルムと内フィルムとの間の収容部にシート状食品を収容すると共に、このシート状食品と外フィルムとの間にカバー材を配置する作業は、主として機械的に行なわれており、縦横の寸法がシート状食品よりかなり小さいカバー材を前記収容部の略中央部に位置決めするのが困難であるという課題を有していた。
【０００９】
さらに、前記特許文献１に記載されたおにぎり用包装材では、出荷時に搬送したり梱包したりするときに、カバー材が上下方向や左右方向に偏ってしまい、開封時におにぎりの底部を上手く覆うことができなくなることがあるという課題を有していた。
【００１０】
また、前記特許文献２に記載されたおにぎり用包装材では、前記カバー材が上下方向や左右方向に偏ってしまうのを、カバー材を開封用テープに点状の熱融着部によって剥離可能に貼着することにより防止しているが、この貼着する作業が別に必要となり、製造時間も製造コストもかかるという課題を有していた。
【００１１】
そこで、この発明は、上記従来の課題を解決することを目的としており、外フィルムと内フィルムとの間の収容部の略中央部にカバー材を位置決めするのが容易であり、出荷時に搬送したり梱包したりするときに、カバー材が上下方向や左右方向に偏ってしまうことなく、しかもカバー材を熱融着部によって剥離可能に貼着するような作業も不必要としたおにぎり用包装材を提供することを目的としてなされたものである。
【課題を解決するための手段】
【００１２】
この発明のおにぎり用包装材は、外フィルム１と内フィルム２との間の収容部３に、シート状食品４を収容すると共に、この収容部３においてシート状食品４と前記外フィルム１との間に、カバー材５を配置したものとしている。さらに、前記カバー材５は、おにぎりＲの覆部５ａの上下に上下分断可能線１０、１１を介して上分断部５ｂおよび下分断部５ｃを連設したものとしている。また、前記外フィルム１の左右端部１ａ、１ｂと内フィルム２の左右端部２ａ、２ｂとが互いに接合されたものとしている。そして、前記カバー材５の上端部５ｔと、外フィルム１の上端部１ｃと、内フィルム２の上端部２ｃとがそれぞれ接合されると共に、前記カバー材５の下端部５ｄと、外フィルム１の下端部１ｄと、内フィルム２の下端部２ｄとがそれぞれ接合されたものとしている。
【００１３】
この発明のおにぎり用包装材において、前記カバー材５の覆部５ａは、おにぎりＲの底面Ｒａ全体と、正面Ｒｂと背面のそれぞれの下側を覆うものとしている。
【００１４】
この発明のおにぎり用包装材において、前記カバー材５の上分断可能線１０は、カバー材５を横断する第一上分断可能線１０ａとカバー材５を縦断する第二上分断可能線１０ｂとからなり、前記カバー材５の下分断可能線１１は、カバー材５を横断する第一下分断可能線１１ａとカバー材５を縦断する第二下分断可能線１１ｂとからなるものとしている。
【００１５】
この発明のおにぎり用包装材において、前記上分断可能線１０の第一上分断可能線１０ａは、カバー材５の左右両端縁に行き渡ったものとし、前記上分断可能線１０の第二上分断可能線１０ｂは、前記第一上分断可能線１０ａの中央からカバー材５の上端縁に向かって、これらの中間部まで行き渡ったものとし、前記下分断可能線１１の第一下分断可能線１１ａは、カバー材５の左右両端縁に行き渡ったものとし、前記下分断可能線１１の第二下分断可能線１１ｂは、前記第一下分断可能線１１ａの中央からカバー材５の下端縁に向かって、これらの中間部まで行き渡ったものとしている。
【００１６】
この発明のおにぎり用包装材において、前記上分断可能線１０の第一上分断可能線１０ａは、カバー材５の上端縁に向かって屈曲または湾曲させたものとし、前記下分断可能線１１の第一下分断可能線１１ａは、カバー材５の下端縁に向かって屈曲または湾曲させたものとしている。
【発明の効果】
【００１７】
この発明のおにぎり用包装材は、以上に述べたように構成されているので、外フィルムと内フィルムとの間の収容部の略中央部にカバー材を位置決めするのが容易なものとなった。
【００１８】
そして、この発明のおにぎり用包装材は、出荷時に搬送したり梱包したりするときに、カバー材が上下方向や左右方向に偏ってしまうことなく、開封時におにぎりの底部を上手く覆うことができるものとなった。
【００１９】
さらに、この発明のおにぎり用包装材は、カバー材を熱融着部によって剥離可能に貼着するような作業も不必要となり、製造時間も製造コストもかからないものとなった。
【図面の簡単な説明】
【００２０】
【図１】この発明のおにぎり用包装材の外側面図である。
【図２】この発明のおにぎり用包装材の内側面図である。
【図３】この発明のおにぎり用包装材の分解斜視図である。
【図４】図２中のＡーＡ線による断面を模式的に示した説明図である。
【図５】この発明のおにぎり用包装材の外フィルムの内側面にカバー材を配置した状態におけるカバー材に設けた上下分断可能線の一形態を示す平面図である。
【図６】この発明のおにぎり用包装材の外フィルムの内側面にカバー材を配置した状態におけるカバー材に設けた上下分断可能線の他の形態を示す平面図である。
【図７】この発明のおにぎり用包装材でおにぎりを包装するときに、その包装材におにぎりを載せた状態の斜視図である。
【図８】この発明のおにぎり用包装材でおにぎりを包装した状態の斜視図である。
【図９】この発明のおにぎり用包装材で包装したおにぎりの開封操作片を外す状態の斜視図である。
【図１０】この発明のおにぎり用包装材で包装したおにぎりを取り出した状態の斜視図である。
【発明を実施するための形態】
【００２１】
以下、この発明のおにぎり用包装材を実施するための形態を、図面に基づいて詳細に説明する。なお、以下の説明文中における上下左右方向は、図１におけるおにぎり用包装材の外側面図の方向を基準としている。
【００２２】
この発明のおにぎり用包装材は、図１〜４に示したように、外フィルム１と内フィルム２との間の収容部３に、シート状食品４を収容すると共に、この収容部３においてシート状食品４と前記外フィルム１との間に、カバー材５を配置したものとしている。
【００２３】
前記外フィルム１は、ＯＰＰ（二軸延伸ポリプロピレン）等の合成樹脂製の透明な１枚のフィルムとしている。前記内フィルム２は、ＯＰＰ（二軸延伸ポリプロピレン）等の合成樹脂製の透明な左片フィルム２Ａと右片フィルム２Ｂの２枚のフィルムとしており、それぞれのフィルム２Ａ、２Ｂの内端部どうしを重ね合わせたものとしている。そして、前記外フィルム１と内フィルム２は同じ大きさの略長方形状になるようにし、外フィルム１の左右端部１ａ、１ｂと内フィルム２の左右端部２ａ、２ｂとが互いにヒートシール等により接合されたものとしている。なお、前記外フィルム１と内フィルム２の四隅にはそれぞれ切欠き部６が設けられている。これら切欠き部６は、三角形状としたおにぎりＲを外フィルム１と内フィルム２で覆う場合に、そのおにぎりＲの頂部に位置する外フィルム１と内フィルム２の四隅を纏め易くしている。
【００２４】
さらに、前記外フィルム１は、外側面には適宜の文字や模様の印刷を施したものとすることができ、内側面には左右方向中央部に外フィルム１の互いに対向する短辺（上下辺）間にわたって２本のカットテープ７を貼着しており、このカットテープ７に案内されて引き裂くことができるようになっている。カットテープ７は、ＰＥＴ等の合成樹脂製とすることができる。なお、外フィルム１は、カットテープ７を設ける代わりに、縦方向（長尺方向）に引裂方向性を有するフィルムで構成してもよい。
【００２５】
前記外フィルム１の互いに対向する短辺（上下辺）の各中央部には、カットテープ７の外側に、２つの切込み８を設けることにより、開封操作片９が形成されている。この開封操作片９を引っ張ることにより、その対向する短辺に至るまで外フィルム１の左右方向中央部が帯状に引き裂かれ、外フィルム１が分割できるようになっている。
【００２６】
前記内フィルム２の左片フィルム２Ａと右片フィルム２Ｂは、それぞれ長辺（左右辺）が外フィルム１の長辺（左右辺）と同じ長さで、短辺（上下辺）が外フィルム１の短辺（上下辺）の半分より長くなっており、図２〜４に示したように、中央でそれぞれの内端縁（自由端）どうしが重なるようにしている。
【００２７】
前記収容部３は、外フィルム１と内フィルム２との間の接合されていない部分としており、シート状食品４およびカバー材５が収容されている。
【００２８】
前記シート状食品４は、焼き海苔を使用することができるが、シート状に形成された食品であれば任意のものに変更することもできる。シート状食品４としては、例えばゼラチンでシート状に形成された昆布や鰹節以外にも、薄焼き卵、畳鰯等が挙げられる。このシート状食品４は、略長方形状にしており、左右方向の幅は、おにぎりＲの底面Ｒａの一辺の長さと同じか、やや長いか、またはやや短くしており、上下方向の長さは、おにぎりＲの正面Ｒｂ、背面及び底面Ｒａを覆う長さとしている。また、このシート状食品４の収容部３への収容は、手作業で行う方法、機械で自動的に挿入する方法のいずれで行ってもよい。
【００２９】
前記カバー材５は、ＰＥＴ等の合成樹脂製としており、おにぎりＲの覆部５ａの上下に上下分断可能線１０、１１を介して上分断部５ｂおよび下分断部５ｃを連設したものとしている。このカバー材５は、略長方形状にしており、左右方向の幅は、おにぎりＲの底面Ｒａの一辺の長さと同じか、やや長いか、またはやや短くしており、上下方向の長さは、前記外フィルム１および内フィルム２の長辺（左右辺）の長さと同じか、やや短くしている。このカバー材５は、上端部５ｔと、外フィルム１の上端部１ｃと、内フィルム２の上端部２ｃとがそれぞれ中央部を除いてヒートシール等により接合されると共に、下端部５ｄと、外フィルム１の下端部１ｄと、内フィルム２の下端部２ｄとがそれぞれ中央部を除いてヒートシール等により接合されたものとしている。したがって、このカバー材５は、外フィルム１および内フィルム２と同時に接合されるので、手間の掛からないものとなり、収容部３に位置決めするのが容易なものとなると共に、出荷時などにも収容部３内で上下方向や左右方向に偏ってしまうことがないものとなる。
【００３０】
前記カバー材５の覆部５ａは、開封時に三角形状としたおにぎりＲの底面Ｒａ全体と、正面Ｒｂと背面のそれぞれの下側、１／３程度を覆うものとするのが、おにぎりＲが手に持ち易くて、食べ易くなるので好ましい。また、前記カバー材５の上下分断可能線１０、１１は、図示したものはミシン目としているが、ハーフカット等とすることもでき、後述の開封時において外フィルム１の左右各部分をそれぞれ外方に引っ張って分離する際に、容易に分断できるものであればよい。
【００３１】
前記カバー材５の上分断可能線１０は、カバー材５を横断する第一上分断可能線１０ａとカバー材５を縦断する第二上分断可能線１０ｂとからなるものとしている。さらに、前記カバー材５の下分断可能線１１は、カバー材５を横断する第一下分断可能線１１ａとカバー材５を縦断する第二下分断可能線１１ｂとからなるものとしている。
【００３２】
前記上分断可能線１０の第一上分断可能線１０ａは、カバー材５の左右両端縁に行き渡ったものとし、前記上分断可能線１０の第二上分断可能線１０ｂは、前記第一上分断可能線１０ａの中央からカバー材５の上端縁に向かって、これらの中間部まで行き渡ったものとしている。図示したものでは、前記第二上分断可能線１０ｂは、カバー材５の上端縁までの略１／２に行き渡ったものとしているが、後述の開封時において外フィルム１の左右各部分をそれぞれ外方に引っ張って分離する際に、より容易に分断できるものとするには、カバー材５の上端縁まで行き渡ったものとしてもよい。さらに、前記下分断可能線１１の第一下分断可能線１１ａは、カバー材５の左右両端縁に行き渡ったものとし、前記下分断可能線１１の第二下分断可能線１１ｂは、前記第一下分断可能線１１ａの中央からカバー材５の下端縁に向かって、これらの中間部まで行き渡ったものとしている。図示したものでは、前記第二下分断可能線１１ｂは、カバー材５の下端縁までの略１／２に行き渡ったものとしているが、後述の開封時において外フィルム１の左右各部分をそれぞれ外方に引っ張って分離する際に、より容易に分断できるものとするには、カバー材５の下端縁まで行き渡ったものとしてもよい。
【００３３】
そして、前記上分断可能線１０の第一上分断可能線１０ａは、カバー材５の上端縁に向かって屈曲または湾曲させたものとし、前記下分断可能線１１の第一下分断可能線１１ａは、カバー材５の下端縁に向かって屈曲または湾曲させたものとしている。この場合、屈曲させたときの屈曲角αが小さいほど、後述の開封時において外フィルム１の左右各部分をそれぞれ外方に引っ張って分離する際に、前記上分断可能線１０と下分断可能線１１も分断し易いものとなるが、カバー材５の覆部５ａがおにぎりＲを覆う面積が小さくなるので、前記屈曲角αは、１２０〜１７０度にするのが好ましい。また、湾曲させたときの曲率半径ｒが小さいほど、後述の開封時において外フィルム１の左右各部分をそれぞれ外方に引っ張って分離する際に、前記上分断可能線１０と下分断可能線１１も分断し易いものとなるが、カバー材５の覆部５ａがおにぎりＲを覆う面積が小さくなるので、前記曲率半径ｒは、７０〜１１０ｍｍにするのが好ましい。
【００３４】
次に、この発明のおにぎり用包装材を用い、三角形状としたおにぎりＲを包装する場合について説明する。
【００３５】
先ず、おにぎり用包装材の内面すなわち内フィルム２を表側にして、図７に示したように、おにぎりＲの三角形の面の１つ（背面）が内フィルム２の上側に接するように置く。
【００３６】
そして、おにぎり用包装材の下側部分を持ち上げ、おにぎりＲの底面Ｒａ付近で曲げて正面ＲｂにあわせるようにしておにぎりＲに被せる。
【００３７】
次に、おにぎりＲの左右において重なりあったおにぎり用包装材の上側部分と下側部分を、それぞれ背面側に折り曲げて重ねあわせ、その重ねあわせた部分にシールやテープ（図示せず）等を貼り付けて固定する（図８参照）。
【００３８】
このようにしておにぎり用包装材で包装されたおにぎりＲは、スーパーマーケットやコンビニエンスストア等の店舗で販売される状態となる。
【００３９】
この発明のおにぎり用包装材を開封するときには、図９に示したように、開封操作片９を指で摘まんで引っ張って、外フィルム１が、その引裂き方向に開封操作片９と同一幅で引き裂かれ中央を境にして左右各部分に分割した状態にする。
【００４０】
そこで、外フィルム１の左右各部分をそれぞれ外方に引っ張って分離する。すると、カバー材５の上分断部５ｂおよび下分断部５ｃが、第一上分断可能線１０ａと第二上分断可能線１０ｂの交点、および第一下分断可能線１１ａと第二下分断可能線１１ｂの交点から、これらの分断可能線に沿って分断され、カバー材５の覆部５ａと分離される。そして、内フィルム２も左右片フィルム２Ａ、２Ｂに分離して、図１０に示したように、おにぎりＲにシート状食品４が付着し、さらにカバー材５の覆部５ａで底部が覆われた状態のおにぎりＲがあらわれる。
【００４１】
そして、前記おにぎりＲを食べるときには、カバー材５の覆部５ａで覆われた部分を手で持てば、直接シート状食品４に手が触れず、汚れて不衛生になったり、水分や調味料で手がべたついたりすることがないものとなる。
【００４２】
この発明のおにぎり用包装材は、以上に述べたように構成されており、外フィルム１と内フィルム２との間の収容部３の略中央部にカバー材５の覆部５ａを位置決めするのが容易であり、出荷時に搬送したり梱包したりするときに、カバー材５が上下方向や左右方向に偏ってしまうことなく、開封時におにぎりＲの底部をカバー材５の覆部５ａで上手く覆うことができるものとなり、しかもカバー材５を熱融着部によって剥離可能に貼着するような作業も不必要となり、製造時間も製造コストもかからないものとなった。
【符号の説明】
【００４３】
１  外フィルム
１ａ  左端部
１ｂ  右端部
１ｃ  上端部
１ｄ  下端部
２  内フィルム
２ａ  左端部
２ｂ  右端部
２ｃ  上端部
２ｄ  下端部
３  収容部
４  シート状食品
５  カバー材
５ａ  覆部
５ｂ  上分断部
５ｃ  下分断部
５ｄ  下端部
５ｔ  上端部
１０  上分断可能線
１０ａ  第一上分断可能線
１０ｂ  第二上分断可能線
１１  下分断可能線
１１ａ  第一下分断可能線
１１ｂ  第二下分断可能線
Ｒ  おにぎり
Ｒａ  底面
Ｒｂ  正面
【図１】
2020121724.tif 000003
【図２】
2020121724.tif 000004
【図３】
2020121724.tif 000005
【図４】
2020121724.tif 000006
【図５】
2020121724.tif 000007
【図６】
2020121724.tif 000008
【図７】
2020121724.tif 000009
【図８】
2020121724.tif 000010
【図９】
2020121724.tif 000011
【図１０】
2020121724.tif 000012